(57)【要約】【課題】組み立て時に構成部材の破損を防止できる押ボタン取付構造を提供する。【解決手段】押ボタン取付構造１００は、押ボタン１０と弦巻ばね３０と取付部２０とを備える。押ボタン１０は、ベース部１と、ベース部１に取り付けられた爪部１１と、を有する。取付部２０は、爪部１１を挿入可能な孔部２３と、孔部２３と同周円上に設けられ爪部１１に係合する係合部２１と、を有する。弦巻ばね３０は、押ボタン１０と取付部２０の間に設けられ、押ボタン１０を取付部２０から遠ざける方向に付勢する。そして、押ボタン１０は、弦巻ばねを取付部２０との間に挟んだ状態で、爪部１１を孔部２３に挿入後、爪部１１を回転させて係合部２１に係合させることにより、取付台２０に取り付けられる。【選択図】図１
2007042485.tif 000002
【特許請求の範囲】
【請求項１】
ベース部と、前記ベース部に取り付けられた爪部と、を有する押ボタンと、
前記爪部を挿入可能な孔部と、前記孔部と同周円上に設けられ前記爪部に係合する係合部と、を有する取付部と、
前記押ボタンと前記取付部の間に設けられ、前記押ボタンを前記取付部から遠ざける方向に付勢する付勢手段と、を備える押ボタン取付構造であって、
前記押ボタンは、前記付勢手段を前記取付部との間に挟んだ状態で、前記爪部を前記孔部に挿入後、前記爪部を回転させて前記係合部に係合させることにより、前記取付部に取り付けられる、
押ボタン取付構造。
【請求項２】
前記付勢手段は弦巻ばねであり、前記弦巻ばねは、前記取付台に固定される側の一端が延出してストッパ部を形成し、
前記ストッパ部は、前記取付台に設けられた固定部に係止され、前記爪部が前記係合部に係合した状態で回転しないよう規制する、
請求項１に記載の押ボタン取付構造。
【請求項３】
前記弦巻ばねは、前記ストッパ部が前記孔部内に少なくとも一部が配置されるようにして、前記取付部に取り付けられ、
前記押ボタンは、前記爪部が前記ストッパ部を押し下げつつ前記孔部に挿入されるようにして、前記取付部に取り付けられる、
請求項２に記載の押ボタン取付構造。
【請求項４】
前記ストッパ部は、先端に曲げ構造を有する、
請求項２に記載の押ボタン取付構造。
【発明の詳細な説明】
【技術分野】
【０００１】
本発明は、押ボタン及びそれを取り付ける押ボタン取付構造に関する。
【背景技術】
【０００２】
従来の押ボタン取り付け構造は、特許文献１に開示されている。特許文献１に開示されたボタン取付構造は、押ボタンもしくは押ボタンが係合される部材に爪があり、その爪が変形し係合穴に係合して押ボタンを取り付ける構造である。
【特許文献１】特開平10−269887号公報
【発明の開示】
【発明が解決しようとする課題】
【０００３】
しかしながら、従来のボタン取り付け構造では、押ボタンもしくは押ボタンが係合される部材にある係合爪が変形した時、爪自体が折れてしまうという課題があった。このような不具合は、特に、押ボタンもしくは押ボタンが係合される部材がメッキ部品の場合に顕著であった。
【０００４】
そこで、本発明は、組み立て時に構成部材の破損を防止できる押ボタン取付構造を提供することを目的とする。
【課題を解決するための手段】
【０００５】
上記目標を達成するために、本発明の押ボタン取付構造は、押ボタンと取付部と付勢手段とを備える。押ボタンは、ベース部と、前記ベース部に取り付けられた爪部と、を有する。取付部は、前記爪部を挿入可能な孔部と、前記孔部と同周円上に設けられ爪部に係合する係合部と、を有する。付勢手段は、押ボタンと取付部の間に設けられ、押ボタンを取付部から遠ざける方向に付勢する。そして、押ボタンは、付勢手段を取付部との間に挟んだ状態で、爪部を孔部に挿入後、爪部を回転させて係合部に係合させることにより、取付部に取り付けられる。
【発明の効果】
【０００６】
上述の本発明によれば、組み立て時に構成部材の破損を防止できる押ボタン取付構造を提供できる。
【発明を実施するための最良の形態】
【０００７】
（実施の形態１）
１．構成
図１は、本発明の実施の形態１にかかる押ボタン取付構造１００の分解斜視図である。図１に示すように、押ボタン取付構造１００は、押ボタン１０と弦巻ばね３０と取付部２０とを含む。
【０００８】
押ボタン１０は、円盤状のベース部１を有する。ベース部１の外周縁付近には、先端が直角に曲げられた爪部１１を設ける。ベース部１の中心には軸１２を設ける。
【０００９】
弦巻ばね３０は、押ボタン１０と取付部２０との間に設けられる。弦巻ばね３０は、本体部３３とストッパ部３１と折り曲げ部３２を備える。これらは一本の線材を加工して形成される。弦巻ばね３０は、取付台２０に固定される側の本体部３０の一端を延出してストッパ部３１および折り曲げ部３２を形成する。折り曲げ部３２は、先端が屈曲した形状を有する。本体部３０は、押ボタン１０によって取付部２０側に押し込まれる。これにより、本体部３０は、押ボタン１０を取付部２０から遠ざける方向に付勢する付勢手段として機能する。
【００１０】
取付部２０は、押ボタン１０を取り付け可能である。取付部２０は、孔部２３と係合部２１と固定部２２と軸受け孔２４を備える。孔部２３は爪部１１を挿入可能である。係合部２１は、孔部２３と同周円上に設けられ、爪部１１に係合する。固定部２２は、折り曲げ部３２と係合してストッパ部３１を固定する。軸受け孔２４は、軸１２を受け入れ可能である。
【００１１】
２．組立
２−１．弦巻ばねの取り付け
弦巻ばね３０を取付部２０との間に挟んだ状態で、押ボタン１０を取付部２０に組み込んだときの様子を図２に示す。図２の上図はそのときの断面図であり、下図は取付部２０の裏面図である。
【００１２】
まず、弦巻ばね３０を取付部２０に取り付ける。その際、ストッパ部３１を固定部２２に係止し、弦巻ばね３０が回転しないようにする。ストッパ部３１が孔部２３内に少なくとも一部が配置される。
【００１３】
２−２．押ボタンの組み込み
次に、押ボタン１０を取付部２０に取り付ける。したがって、押ボタン１０は、弦巻ばね３０を取付部２０との間に挟んだ状態で、取付部２０に取り付けられる。その際、爪部１１は、図２の上図に示すように、ストッパ部３１を押し下げつつ孔部２３に挿入される。ここで、固定部２２は、溝状に形成されている。この溝は、ストッパ部３１が爪部１１によって押し下げられても、ストッパ部３１が乗り越えられない高さに設定するのが好ましい。押ボタン１０が取付部２０に取り付けられる際に、ストッパ部３１が固定部２２から外れるのを防ぐことができるからである。
【００１４】
その後、押ボタン１０は、爪部１１が孔部２３に挿入された後、図２の下図に示す矢印方向に回転して係合部２１に係合する。押ボタン１０は、弦巻ばね３０によって上方へ付勢され、爪部１１は固定部２１に押し付けられる。
【００１５】
押ボタン１０の回転が完了したときの断面図を図３に示す。ストッパ部３１は、固定部２２で係止されているため、回転しない。そのため、押ボタン１０は、爪部１１がストッパ部３１と当接することにより、回転方向に規制される。
【００１６】
２−３．押ボタン取付構造の装置への取り付け
押ボタン１０を取付部２０に取り付け、その後、取付部２０を装置に組み込む。そのときの断面図を図４に示す。プッシュスイッチ４０は、軸１２の下方に設けられる。プッシュスイッチ４０は、軸１２により下方に押下されると、それを感知して所定の信号をマイコン等の他の部材に発信する。
【００１７】
装置は、折り曲げ部３２の下方に機構部材５０を設ける。これにより、ストッパ部３１が衝撃等の何らかの原因により下方に曲げられても、折り曲げ部３２が機構部材５０に当接するため、ストッパ部３１が固定部２２から外れてしまうことを防止できる。
【００１８】
３．まとめ
本実施の形態の押ボタン取付構造１００は、押ボタン１０と弦巻ばね３０と取付部２０とを備える。押ボタン１０は、ベース部１と、ベース部１に取り付けられた爪部１１と、を有する。取付部２０は、爪部１１を挿入可能な孔部２３と、孔部２３と同周円上に設けられ爪部１１に係合する係合部２１と、を有する。弦巻ばね３０は、押ボタン１０と取付部２０の間に設けられ、押ボタン１０を取付部２０から遠ざける方向に付勢する。そして、押ボタン１０は、弦巻ばねを取付部２０との間に挟んだ状態で、爪部１１を孔部２３に挿入後、爪部１１を回転させて係合部２１に係合させることにより、取付部２０に取り付けられる。
【００１９】
これにより、押ボタン１０を取り付ける際に、変形する部材がないので、爪部１１等の構成部材の破損を防止できる。
【００２０】
弦巻ばね３０は、取付台２０に固定される側の一端が延出してストッパ部３１を形成するようにしてもよい。この場合、ストッパ部３１は、取付台２０に設けられた固定部２２に係止され、爪部１１が係合部２１に係合した状態で回転しないよう規制する。
【００２１】
これにより、弦巻ばね３０を、押ボタン１０を付勢する機能と押ボタン１０の回転を規制して取付部２０から抜けるのを防止する機能とを兼用できる。そのため、部品点数を増やさないで、押ボタン取付構造１００を実現できる。
【００２２】
また、弦巻ばね３０は、ストッパ部３１が孔部２３内に少なくとも一部が配置されるようにして、取付部２０に取り付けられるようにしてもよい。この場合、押ボタン１０は、爪部１１がストッパ部３１を押し下げつつ孔部２３に挿入されるようにして、取付部２０に取り付けられる。
【００２３】
これにより、ストッパ部３１が邪魔になって爪部１１を挿入できないということを防ぐことができる。
【００２４】
また、ストッパ部３１は、先端に曲げ構造を有するようにしてもよい。これにより、ストッパ部３１が衝撃等の何らかの原因により下方に曲げられても、折り曲げ部３２が機構部材５０に当接するため、ストッパ部３１が固定部２２から外れてしまうことを防止できる。
【００２５】
なお、弦巻ばね３０は、本発明の付勢手段の一例である。本発明の付勢手段は、押ボタン１０を取付部２０から遠ざける方向に付勢するものであればよく、例えば、ゴム状の付勢手段でもよい。但し、ゴム状の付勢手段の場合、別途、押ボタン１０の回転を規制する規制手段を設けるのが好ましい。
【００２６】
また、本実施の形態では、押ボタン１０および弦巻ばね３０を取付部２０に組み込み、組み込み後の取付部２０を装置に取り付ける構造としたが、これには限らない。例えば、取付部２０を装置と一体にし、押ボタン１０および弦巻ばね３０を直接装置に組み込んでもよい。
【産業上の利用可能性】
【００２７】
本発明は、組み立て時に構成部材の破損を防止できる押ボタン取付構造を提供できるので、電子機器の押ボタンに利用可能である。このような押ボタンは、デジタルカメラやオーディオ機器、洗濯機等あらゆる電子機器に適用可能である。
【図面の簡単な説明】
【００２８】
【図１】本発明の実施の形態の押ボタン取付構造の構成要素を示す分解斜視図
【図２】本発明の実施の形態の押ボタン取付構造の断面図および底面図
【図３】本発明の実施の形態の押ボタン取付構造の底面図
【図４】本発明の実施の形態の押ボタン取付構造の断面図
【符号の説明】
【００２９】
１    ベース部
１０    押ボタン
１１    爪部
２０    取付部
２１    係合部
２２    固定部
２３    孔部
３０    弦巻バネ
３１    ストッパ部
３２    折り曲げ部
３３    本体部
４０    プッシュスイッチ
５０    機構部材
【図１】
2007042485.tif 000003
【図２】
2007042485.tif 000004
【図３】
2007042485.tif 000005
【図４】
2007042485.tif 000006